(57)【要約】【課題】必要時のみにカッターが突出し、必要でない場合はカッターが隠蔽されていて、手を傷つける危険のないラップフィルム収容ケースを提供すること。【解決手段】ラップフィルムＡの軸方向に沿った一面をラップフィルム出し入れ用の開口部２としたケース本体１と、開口部２を開閉する蓋３と、ラップフィルム切断用のカッター４を備え、ケース本体１或いは蓋３にカッター収納部９を形成し、カッター収納部９に長手方向に沿ってカッター出没口１０を形成し、カッター収納部９にカッター４を、カッター出没口１０を通して刃先が出没するよう収納し、カッター４を刃先没入方向へ付勢すると共に、カッター４を刃先が突出するよう操作する操作レバー１１を設ける。【選択図】図１
2011016563.tif 000002
【特許請求の範囲】
【請求項１】
中空筒状に巻いたラップフィルムを収容し、前記ラップフィルムの軸方向に沿った一面をラップフィルム出し入れ用の開口部としたケース本体と、該開口部を開閉する蓋と、前記ラップフィルムの軸方向全長に亘って配置されたラップフィルム切断用のカッターとを備え、前記ケース本体或いは蓋にカッター収納部を形成し、該カッター収納部に長手方向に沿ってカッター出没口を形成し、前記カッター収納部にカッターを、前記カッター出没口を通して刃先が出没するよう収納すると共に、前記カッターを刃先没入方向へ付勢し、前記カッターを付勢力に抗して刃先が突出するよう操作する操作レバーを設けたことを特徴とするラップフィルム収容ケース。
【請求項２】
前記ケース本体の長手方向両端面に係止孔を形成し、前記ラップフィルムの中心に抜挿自在に挿通される芯材の両端面に、前記ケース本体の係止孔と着脱自在に係合する半球状の突部を設け、該突部を前記芯材の端面から出没可能とすると共に、突出方向へ付勢してある請求項１に記載のラップフィルム収容ケース。
【請求項３】
前記ケース本体の前記開口部と対向する面に、ラップフィルム押し出し用の透孔を穿設してある請求項２に記載のラップフィルム収容ケース。
【発明の詳細な説明】
【技術分野】
【０００１】
本発明は、ロール状に巻いたアルミニウム箔、透明樹脂フィルム等のラップフィルムを収容する詰め替えタイプのラップフィルム収容ケースに関する。
【背景技術】
【０００２】
ロール状のラップフィルムは、通常、カッター付きの細長い紙箱に収納されて市販されている。
また、近年、ゴミの量を削減すると共に、森林資源の消費量を減らすことができるラップフィルム収容ケースとして、切断刃と上蓋とを樹脂で一体成形した繰り返し使用できるラップ容器（特許文献１）、プラスチック等を素材とし、詰め替えが簡単にできるロール素材切断刃付き収納ケース（特許文献２）等が提案されている。
しかし、これら詰め替えタイプのケースも、一般的な使い捨ての紙箱も、蓋を開いた時にカッターが露出するので、ラップフィルムを引き出したり、ラップフィルムを詰め替える際に手を傷つける危険性があった。
【先行技術文献】
【特許文献】
【０００３】
【特許文献１】特開２００４−２５００９２号公報
【特許文献２】特開２００３−１９１９５１号公報
【発明の概要】
【発明が解決しようとする課題】
【０００４】
本発明が解決しようとする課題は、必要時のみにカッターが突出し、必要でない場合はカッターが隠蔽されていて、手を傷つける危険のないラップフィルム収容ケースを提供することにある。
【課題を解決するための手段】
【０００５】
本発明のラップフィルム収容ケースは、中空筒状に巻いたラップフィルムを収容し、前記ラップフィルムの軸方向に沿った一面をラップフィルム出し入れ用の開口部としたケース本体と、該開口部を開閉する蓋と、前記ラップフィルムの軸方向全長に亘って配置されたラップフィルム切断用のカッターとを備え、前記ケース本体或いは蓋にカッター収納部を形成し、該カッター収納部に長手方向に沿ってカッター出没口を形成し、前記カッター収納部にカッターを、前記カッター出没口を通して刃先が出没するよう収納すると共に、前記カッターを刃先没入方向へ付勢し、前記カッターを付勢力に抗して刃先が突出するよう操作する操作レバーを設けてある。
【０００６】
前記ケース本体の長手方向両端面に係止孔を形成し、前記ラップフィルムの中心に抜挿自在に挿通される芯材の両端面に、前記ケース本体の係止孔と着脱自在に係合する半球状の突部を設け、該突部を前記芯材の端面から出没可能とすると共に、突出方向へ付勢しても良い。
この時、前記ケース本体の前記開口部と対向する面に、ラップフィルム押し出し用の透孔を穿設すると良い。
【発明の効果】
【０００７】
請求項１に係る発明によれば、ラップフィルムを切断するときのみ操作レバーを操作してカッターの刃先を突出させ、常態ではカッターの刃先がカッター収納部に没入して言うので、ラップフィルムを引き出す際やラップフィルムを詰め替える際に手を傷つける心配がなく、安全性が高い。
また、カッターの刃先に汚れが付着し難いので、カッターの寿命が延び、長期間使用することができる。
【０００８】
請求項２に係る発明によれば、ラップフィルムが安定してケース本体内の定位置に支持されるので、蓋を開けたときにラップフィルムが飛び出すのを防ぎ、この結果、ラップフィルムの引き出しが容易となる。
請求項３に係る発明によれば、透孔を通してケース本体内に指を差し込み、ラップフィルムを開口部から簡単に押し出すことができる。
【図面の簡単な説明】
【０００９】
【図１】本発明の実施例を示すラップフィルム収容ケースの蓋開放時における斜視図である。
【図２】本発明の実施例を示すラップフィルム収容ケースの蓋閉鎖時における斜視図である。
【図３】本発明の実施例に係るケース本体の底面図である。
【図４】本発明の実施例を示すラップフィルム収容ケースの長手方向に交差する断面図である。
【図５】本発明の実施例を示すラップフィルム収容ケースの長手方向に沿う断面図である。
【図６】カッターの取り付け構造を示す常態における正面図である。
【図７】カッターの取り付け構造を示す刃先突出時における正面図である。
【図８】ラップフィルム詰め替え時におけるラップフィルム収容ケースの長手方向に沿う断面図である。
【発明を実施するための形態】
【００１０】
以下、本発明の実施例を図面に基づいて詳細に説明する。
本発明のラップフィルム収容ケースは、図１、図２及び図４に示すように、中空筒状に巻いたラップフィルムＡを収容し、ラップフィルムＡの軸方向に沿った一面をラップフィルム出し入れ用の開口部２としたケース本体１と、開口部２を開閉する蓋３と、ラップフィルムＡの軸方向全長に亘って配置されたラップフィルム切断用のカッター４と、ラップフィルムＡの中心に抜挿自在に挿通される芯材５とを備える。
【００１１】
ケース本体１は、プラスチック、木材、ガラス、陶器、ステンレス等の耐久性と剛性のある素材より成り、一辺がラップフィルムＡの直径よりやや大きい四角形の断面を有すると共に、ラップフィルムＡの長さよりやや長い箱状に形成してある。
また、図３に示すように、ケース本体１の開口部２と対向する面の長手方向両端部には、ラップフィルム押し出し用の透孔６を穿設し、図１及び図２に示すように、ケース本体１の長手方向両端面には円形の係止孔７を穿設してある。透孔６は指を差し込める大きさ（１７mm〜２０mm）とし、係止孔７の直径は５mm程度とする。
【００１２】
蓋３は、ケース本体１と同素材で形成され、その一方の長辺を開口部２の一方の長縁に枢着してある（図１）。
蓋３の他方の長辺に沿って、蓋３を閉じた時にケース本体１の外面に重合される折り曲げ部８を一体に形成し、図４に示すように、折り曲げ部８の外面にカッター収納部９を設けてある。
カッター収納部９は、折り曲げ部８の長手方向全長に亘って設けられ、その内部空間はカッター４の厚みより僅かに厚く、先端部（折り曲げ部８の先端側）にはカッター出没口１０が長手方向に沿って形成されている。なお、カッター出没口１０は折り曲げ部８の先端面よりも突出した位置に形成される。
また、カッター収納部９の基端中央部には、後述する操作レバー１１を挿通するための挿通口１２が形成されている。
【００１３】
カッター４は、図４、図６及び図７に示すように、刃先がカッター出没口１０を通して出没するようカッター収納部９内に収納される。
また、カッター４の刃先とは逆側の端縁中央部に、断面Ｌ字状の操作レバー１１が装着され、この操作レバー１１が挿通口１２を通してカッター収納部９の外部に露出している。さらに、カッター４の操作レバー１１を挟んだ両側にはそれぞれ取付孔１３が形成される。
【００１４】
そして、カッター４は、取付孔１３を介してシリコンゴム等の弾性体１４によりカッター収納部９の天井から吊り下げてあり、これにより、カッター４は刃先がカッター収納部９内に没入する方向へ付勢されている。
また、操作レバー１１を付勢力に抗してカッター出没口１０に向かって押し下げると、カッター４の刃先がカッター出没口１０から突出するようになっている。カッター４の刃先は、カッター出没口１０から突出すると、蓋３の折り曲げ部８の先端よりも長く飛び出すことになる。
【００１５】
芯材５は、ラップフィルムＡの内径より僅かに小径の円パイプより成り、図５に示すように、その両端面には、ケース本体１の係止孔７と着脱自在に係合する半球状の突部１５を設けてある。
突部１５は、芯材５の端面から出没可能とされ、突出方向へ付勢されている。
従って、芯材５をラップフィルムＡの中心に通して、その両端面に設けた突部１５を係止孔７に係合することにより、ラップフィルムＡをケース本体１内の定位置に安定して支持することができるので、蓋３を開けたときにラップフィルムＡが開口部２から飛び出すことがない。
【００１６】
ラップフィルムＡを使用する際は、蓋３を開き、開口部２を通してラップフィルムＡから使用分のフィルムを引き出す。この時、カッター４の刃先はカッター収納部９内に没入しているので（図６）、カッター４で手を傷つける心配がない。
その後、蓋３を閉じてフィルムをケース本体１の側面と折り曲げ部８とで挟み、次いで、操作レバー１１を押し下げてカッター４の刃先をカッター出没口１０から突出させ（図７）、引き出したフィルムを情報へ折り返してカッター４の刃先に押付けながら引っ張ると、使用分のフィルムを切り取ることができる。
【００１７】
そのまま、操作レバー１１を解放すると、弾性体により付勢されているカッター４は元の位置に復帰し、カッター４の刃先はカッター収納部９内に没入する。
ラップフルムＡを詰め替えるときには、図８に示すように、蓋３を開けてから、透孔６を通してケース本体１の内部に指先を差し込み、ケース本体１内の使い終わったラップフィルムＡを開口部２に向けて押す。
すると、芯材５の端面に設けた突部１５は半球状なので、係止孔７の縁に押付けられると、芯材５の内部に没入して係止孔７から抜け出し、簡単にラップフィルムＡを芯材５と共に取り出すことができる。
取り出した芯材５を新たなラップフィルムＡの中心に挿通して、再度ケース本体１内に戻し、芯材５の突部１５をケース本体１の係止孔７に係合すれば、新しいラップフィルムＡをケース本体１内に装着できる。
【００１８】
なお、ケース本体１の外面において、蓋３の軸着された面と逆側の面にカッター収納部９を設けると共に、開口部２の他方の長縁に沿ってカッター出没口１０を形成し、このカッター出没口１０を通してカッター４の刃先が出没するようにしても良い。
また、操作レバー１１の形状は、図に示す形状に限定されない。
【符号の説明】
【００１９】
Ａ  ラップフィルム    
１  ケース本体
２  開口部
３  蓋
４  カッター
５  芯材
６  透孔
７  係止孔
８  折り曲げ部
９  カッター収納部
１０  カッター出没口
１１  操作レバー
１２  挿通口
１３  取付孔
１４  弾性体
１５  突部
【図１】
2011016563.tif 000003
【図２】
2011016563.tif 000004
【図３】
2011016563.tif 000005
【図４】
2011016563.tif 000006
【図５】
2011016563.tif 000007
【図６】
2011016563.tif 000008
【図７】
2011016563.tif 000009
【図８】
2011016563.tif 000010